(57)【要約】【課題】本発明は、重量調整作業の作業性を向上させることができるエレベータの釣合おもりを得ることを目的とするものである。【解決手段】おもり枠１には、複数枚のカバー３が上下に並べて取り付けられている。カバー３の幅方向両端部には、複数のだるま穴３ａが設けられている。おもり枠１には、だるま穴３ａに挿入される係合突起としての複数のカバー用ねじ４が設けられている。カバー用ねじ４は、おもり枠１の幅方向両端部のだるま穴３ａに対応する位置に設けられている。各カバー３は、だるま穴３ａにカバー用ねじ４を挿入することによりおもり枠１に取り付けられている。【選択図】図１
2010195517.tif 000002
【特許請求の範囲】
【請求項１】
おもり枠と、前記おもり枠に搭載されている複数個のおもり片と、前記おもり枠に取り付けられているカバーとを備え、
前記カバーは、前記おもり枠及び前記カバーのいずれか一方に設けられただるま穴に前記おもり枠及び前記カバーの他方に設けられた係合突起を挿入することにより前記おもり枠に取り付けられていることを特徴とするエレベータの釣合おもり。
【請求項２】
おもり枠と、前記おもり枠に搭載されている複数個のおもり片と、前記おもり枠に上下に並べて取り付けられている第１及び第２のカバーとを備え、
前記第１のカバーの下端部は、前記第２のカバーに回動可能に連結されていることを特徴とするエレベータの釣合おもり。
【請求項３】
おもり枠と、前記おもり枠に搭載されている複数個のおもり片と、前記おもり枠に上下に並べて取り付けられている第１及び第２のカバーとを備え、
前記第１のカバーは、前記第２のカバーに対して上下方向へスライド可能に連結されており、前記おもり枠への取付状態を解除することにより前記第２のカバーに重なる位置へ変位可能になっていることを特徴とするエレベータの釣合おもり。
【請求項４】
おもり枠と、前記おもり枠に搭載されている複数個のおもり片と、前記おもり枠に上下に並べて取り付けられている複数枚のカバーとを備え、
前記カバーは、上下に並べて配置され下方に隣接するカバーに対して上下方向へスライド可能に連結された複数枚のスライドカバーと、前記スライドカバーの下方に隣接するベースカバーとを含み、
前記スライドカバーは、前記おもり枠への取付状態を解除することにより前記ベースカバーに重なる位置へ変位可能になっていることを特徴とするエレベータの釣合おもり。
【発明の詳細な説明】
【技術分野】
【０００１】
この発明は、おもり枠にカバーが取り付けられているエレベータの釣合おもりに関するものである。
【背景技術】
【０００２】
従来のエレベータの釣合おもりは、おもり枠と、おもり枠に搭載された複数個のおもり片と、かご側の面に取り付けられた整風板とを有している。整風板は、上下方向に並べて配置された上方板、中間板及び下方板を有している。これらの上方板、中間板及び下方板は、ビスによりおもり枠に固定されている（例えば、特許文献１参照）。
【先行技術文献】
【特許文献】
【０００３】
【特許文献１】特開平１０−２３６７５１号公報
【発明の概要】
【発明が解決しようとする課題】
【０００４】
上記のような従来の釣合おもりでは、重量調整（バランス調整）を行うためには、上方板を取り外しておもり片をおもり枠の上部から出し入れする必要があるが、上方板がビスによりおもり枠に固定されているので、上方板の脱着に手間がかかり、重量調整作業の作業性が低かった。
【０００５】
この発明は、上記のような課題を解決するためになされたものであり、重量調整作業の作業性を向上させることができるエレベータの釣合おもりを得ることを目的とする。
【課題を解決するための手段】
【０００６】
この発明に係るエレベータの釣合おもりは、おもり枠と、おもり枠に搭載されている複数個のおもり片と、おもり枠に取り付けられているカバーとを備え、カバーは、おもり枠及びカバーのいずれか一方に設けられただるま穴におもり枠及びカバーの他方に設けられた係合突起を挿入することによりおもり枠に取り付けられている。
【発明の効果】
【０００７】
この発明のエレベータの釣合おもりは、だるま穴に係合突起を挿入することによりカバーがおもり枠に取り付けられているので、おもり枠に対するカバーの脱着を容易に行うことができ、重量調整作業の作業性を向上させることができる。
【図面の簡単な説明】
【０００８】
【図１】この発明の実施の形態１によるエレベータの釣合おもりを示す斜視図である。
【図２】図１のカバーを示す斜視図である。
【図３】図１の要部を拡大して示す斜視図である。
【図４】図２のカバーの要部を拡大して示す斜視図である。
【図５】この発明の実施の形態２によるエレベータの釣合おもりを示す斜視図である。
【図６】図５の要部を拡大して示す斜視図である。
【図７】図５の釣合おもりの重量調整作業時の状態を示す斜視図である。
【図８】この発明の実施の形態３によるエレベータの釣合おもりを示す斜視図である。
【図９】図８の上部カバーを示す斜視図である。
【図１０】図８の要部を拡大して示す斜視図である。
【図１１】図８の釣合おもりの重量調整作業時の状態を示す斜視図である。
【図１２】この発明の実施の形態４によるエレベータの釣合おもりを示す斜視図である。
【図１３】図１２の下部カバーを示す斜視図である。
【図１４】図１２の釣合おもりの重量調整作業時の状態を示す斜視図である。
【図１５】実施の形態１〜４の釣合おもりが用いられるエレベータの一例を示す構成図である。
【発明を実施するための形態】
【０００９】
以下、この発明を実施するための形態について、図面を参照して説明する。
実施の形態１．
図１はこの発明の実施の形態１によるエレベータの釣合おもりを示す斜視図、図２は図１のカバーを示す斜視図、図３は図１の要部を拡大して示す斜視図、図４は図２のカバーの要部を拡大して示す斜視図である。
【００１０】
図において、おもり枠１の内側には、複数個の板状のおもり片（加減おもり）２が搭載されている。これらのおもり片２は、必要な重量分の個数だけ上下に積層されている。おもり枠１には、複数枚（この例では３枚）の鋼製のカバー３が上下に並べて取り付けられている。カバー３は、おもり枠１の一側の開口を塞ぐように取り付けられている。
【００１１】
カバー３の幅方向両端部には、複数のだるま穴３ａが設けられている。この例では、だるま穴３ａは、カバー３の四隅に配置されている。また、だるま穴３ａは、小穴部と、小穴部よりも大径の大穴部とを有している。小穴部と大穴部とはつながっており、大穴部は小穴部の下に位置している。
【００１２】
おもり枠１には、だるま穴３ａに挿入される係合突起としての複数のカバー用ねじ４が設けられている。カバー用ねじ４は、おもり枠１の幅方向両端部のだるま穴３ａに対応する位置に設けられている。また、カバー用ねじ４は、だるま穴３ａの小穴部よりも小径のねじ本体と、だるま穴３ａの大穴部よりも小径で小穴部よりも大径の頭部とを有している。各カバー３は、だるま穴３ａにカバー用ねじ４を挿入することによりおもり枠１に取り付けられている。
【００１３】
カバー３をおもり枠１に取り付ける場合、だるま穴３ａの大穴部にカバー用ねじ４の頭部を挿入し貫通させた後、カバー３全体を下方へ変位させ、カバー用ねじ４のねじ本体をだるま穴３ａの小穴部内に移動させる。そして、必要に応じてカバー用ねじ４を締め付ける。カバー３をおもり枠１から取り外す場合は、上記の逆の手順である。
【００１４】
このようなエレベータの釣合おもりでは、だるま穴３ａにカバー用ねじ４を挿入することによりカバー３がおもり枠１に取り付けられているので、おもり枠１に対するカバー３の脱着の際にカバー用ねじ４を取り外す必要がなく、脱着が容易であり、重量調整作業の作業性を向上させることができる。
【００１５】
なお、係合突起は、カバー用ねじ４に限定されるものではない。
また、実施の形態１では、カバー３にだるま穴３ａを設け、おもり枠１にカバー用ねじ４を設けたが、おもり枠１にだるま穴を設け、カバー３に係合突起を設けてもよい。この場合、だるま穴は、大穴部が小穴部の上に位置するように配置される。
さらに、だるま穴及び係合突起の数は特に限定されるものではない。
さらにまた、実施の形態１では、全てのカバー３を、だるま穴３ａにカバー用ねじ４を挿入する方法でおもり枠１に取り付けたが、重量調整作業時に脱着されるカバー３のみをこの方法で取り付け、他のカバー３は他の取付方法（例えば単なるねじ止め）で取り付けてもよい。
また、カバーの枚数は３枚に限定されるものではなく、１枚、２枚又は４枚以上であってもよい。
【００１６】
実施の形態２．
次に、図５はこの発明の実施の形態２によるエレベータの釣合おもりを示す斜視図、図６は図５の要部を拡大して示す斜視図、図７は図５の釣合おもりの重量調整作業時の状態を示す斜視図である。
【００１７】
図において、おもり枠１の内側には、おもり片２（図１参照）が搭載されている。おもり枠１には、第１のカバーとしての上部カバー５と、第２のカバーとしての中間カバー６と、下部カバー７とが上下に並べて取り付けられている。これらのカバー５〜７は、鋼製であり、おもり枠１の一側の開口を塞ぐように取り付けられている。
【００１８】
また、カバー５〜７は、それらの幅方向両端部でカバー用ねじ４によりおもり枠１に取り付けられている。上部カバー５の下端部は、一対のヒンジ８を介して中間カバー６の上端部に回動可能に連結されている。ヒンジ８は、上部カバー５及び中間カバー６の幅方向に互いに間隔をおいて配置されている。
【００１９】
このような釣合おもりでは、重量調整作業、即ちおもり枠１へのおもり片２の積み降ろし作業を行う場合、上部カバー５をおもり枠１に取り付けているカバー用ねじ４を取り外す。これにより、上部カバー５は、中間カバー６に対して回動自在となり、図７に示すように中間カバー６上に重ねられる。
【００２０】
従って、上部カバー５を完全に取り外すことなく、重量調整作業を行うことができ、重量調整作業の作業性を向上させることができる。特に、おもり枠１のサイズが大きい場合には、上部カバー５のサイズも大きくなり、重量が大きくなるため、取り外しに多大な労力がかかるが、実施の形態２では、上部カバー５が中間カバー６に連結されたままであるため、作業者の負担が大幅に軽減される。
【００２１】
また、上部カバー５を完全に取り外してしまうと、上部カバー５の重量を考慮して重量調整作業を行う必要があるが、実施の形態２では、上部カバー５の重量が付加されたままで重量調整作業を行うことができるので、上部カバー５の重量を考慮することなく、より正確に重量調整作業を行うことができる。
【００２２】
なお、実施の形態２では、ヒンジ８を用いて上部カバー５を中間カバー６に回動可能に連結したが、釣合おもりの幅方向に平行な軸を中心として回動可能に連結できれば、例えば繰り返し曲げに十分な耐力を持つ可撓性の連結部材など、他の連結具を用いてもよい。
また、カバーの枚数は３枚に限定されるものではなく、２枚又は４枚以上であってもよい。
さらに、実施の形態２では、最上部に位置する上部カバー５を回動可能としたが、最上部のカバーを取り外さずに重量調整作業を行える構造であれば、第１のカバーは必ずしも最上部のカバーとは限らない。
【００２３】
実施の形態３．
次に、図８はこの発明の実施の形態３によるエレベータの釣合おもりを示す斜視図、図９は図８の上部カバーを示す斜視図、図１０は図８の要部を拡大して示す斜視図、図１１は図８の釣合おもりの重量調整作業時の状態を示す斜視図である。
【００２４】
図において、おもり枠１の内側には、おもり片２（図１参照）が搭載されている。おもり枠１には、第１のカバーとしての上部カバー９と、第２のカバーとしての下部カバー１０とが上下に並べて取り付けられている。これらのカバー９，１０は、鋼製であり、おもり枠１の一側の開口を塞ぐように取り付けられている。
【００２５】
上部カバー９は、下部カバー１０に対して上下方向へスライド可能に連結されており、おもり枠１への取付状態を解除することにより下部カバー１０に重なる位置（図１１）へ変位可能になっている。
【００２６】
下部カバー１０の幅方向両端部の上端部には、上部カバー９の上下動を案内する一対のガイド突起１１が設けられている。ガイド突起１１は、上部カバー９を図１１の位置へ移動させたときに上部カバー９を支持する。
【００２７】
上部カバー９の幅方向両端部には、ガイド突起１１が係合する一対のガイドスリット９ａが設けられている。これらのガイドスリット９ａは、上下方向に沿って互いに平行に設けられている。また、ガイドスリット９ａは、上部カバー９の下端部から上端部近傍まで連続して設けられている。
【００２８】
このような釣合おもりでは、重量調整作業を行う場合、上部カバー９をおもり枠１に取り付けているカバー用ねじ４を取り外す。そして、上部カバー９を図１１に示す位置まで下方へスライドさせる。
【００２９】
従って、上部カバー９を完全に取り外すことなく、重量調整作業を行うことができ、重量調整作業の作業性を向上させることができる。特に、上部カバー９の重量が大きい場合でも、上部カバー９がガイド突起１１に支持されるため、作業者の負担が大幅に軽減される。
【００３０】
また、上部カバー９の重量が付加されたままで重量調整作業を行うことができるので、上部カバー９の重量を考慮することなく、より正確に重量調整作業を行うことができる。
さらに、かごガイドレールが釣合おもりの前に配置されるＣＷＴ横落式のレイアウトの場合でも、上部カバー９を図１１の位置まで容易に動かすことができる。
【００３１】
なお、実施の形態３では、ガイド突起１１を下部カバー１０に設け、ガイドスリット９ａを上部カバー９に設けたが、逆であってもよい。
また、上部カバー９のガイド機構は上記の例に限定されるものではなく、例えば下部カバー１０の幅方向両端部に設けたガイド溝に上部カバー９の幅方向両端部を挿入する構造等であってもよい。
さらに、実施の形態３では２枚のカバー９，１０のみを用いたが、３枚以上であってもよい。即ち、第１のカバーの上方に他のカバーを配置したり、第２のカバーの下方に他のカバーを配置したりしてもよい。
【００３２】
実施の形態４．
次に、図１２はこの発明の実施の形態４によるエレベータの釣合おもりを示す斜視図、図１３は図１２の下部カバーを示す斜視図、図１４は図１２の釣合おもりの重量調整作業時の状態を示す斜視図である。
【００３３】
図において、おもり枠１の内側には、おもり片２（図１参照）が搭載されている。おもり枠１には、スライドカバーとしての上部カバー１２と、スライドカバーとしての中間カバー１３と、ベースカバーとしての下部カバー１４とが上下に並べて取り付けられている。これらのカバー１２〜１４は、鋼製であり、おもり枠１の一側の開口を塞ぐように取り付けられている。
【００３４】
上部カバー１２は、下方に隣接するカバーである中間カバー１３に対して上下方向へスライド可能に連結されている。中間カバー１３は、下方に隣接するカバーである下部カバー１４に対して上下方向へスライド可能に連結されている。そして、上部カバー１２及び中間カバー１３は、おもり枠１への取付状態を解除することにより下部カバー１４に重なる位置（図１４）へ変位可能になっている。
【００３５】
中間カバー１３の幅方向両端部の上端部には、上部カバー１２の上下動を案内する一対のガイド突起１５が設けられている。ガイド突起１５は、上部カバー１２を図１４の位置へ移動させたときに上部カバー１２を支持する。
【００３６】
上部カバー１２の幅方向両端部には、ガイド突起１５が係合する一対のガイドスリット１２ａが設けられている。これらのガイドスリット１２ａは、上下方向に沿って互いに平行に設けられている。また、ガイドスリット１２ａは、上部カバー１２の下端部から上端部近傍まで連続して設けられている。
【００３７】
下部カバー１４の幅方向両端部の上端部には、中間カバー１３の上下動を案内する一対のガイド突起１６が設けられている。ガイド突起１６は、中間カバー１３を図１４の位置へ移動させたときに中間カバー１３を支持する。
【００３８】
中間カバー１３の幅方向両端部には、ガイド突起１６が係合する一対のガイドスリット１３ａが設けられている。これらのガイドスリット１３ａは、上下方向に沿って互いに平行に設けられている。また、ガイドスリット１３ａは、中間カバー１３の下端部から上端部近傍まで連続して設けられている。
【００３９】
このような釣合おもりでは、重量調整作業を行う場合、上部カバー１２及び中間カバー１３をおもり枠１に取り付けているカバー用ねじ４を取り外す。そして、上部カバー１２及び中間カバー１３を図１４に示す位置まで下方へスライドさせる。
【００４０】
従って、上部カバー１２及び中間カバー１３を完全に取り外すことなく、重量調整作業を行うことができ、重量調整作業の作業性を向上させることができる。特に、上部カバー１２及び中間カバー１３の重量が大きい場合でも、上部カバー１２及び中間カバー１３がガイド突起１５，１６に支持されるため、作業者の負担が大幅に軽減される。
【００４１】
また、上部カバー１２及び中間カバー１３の重量が付加されたままで重量調整作業を行うことができるので、上部カバー１２及び中間カバー１３の重量を考慮することなく、より正確に重量調整作業を行うことができる。
さらに、かごガイドレールが釣合おもりの前に配置されるＣＷＴ横落式のレイアウトの場合でも、上部カバー１２及び中間カバー１３を図１４の位置まで容易に動かすことができる。
【００４２】
なお、実施の形態４では、ガイド突起１５，１６を下側のカバーに設け、ガイドスリット１２ａ，１３ａを上側のカバーに設けたが、逆であってもよい。
また、スライドカバーのガイド機構は上記の例に限定されるものではない。
さらに、実施の形態４では３枚のカバー１２〜１４のみを用いたが、４枚以上であってもよい。この場合、スライドカバーの上方やベースカバーの下方にスライドしないカバーを追加したり、スライドカバーの枚数を増やしたりしてもよい。
【００４３】
ここで、図１５は実施の形態１〜４の釣合おもりが用いられるエレベータの一例を示す構成図である。図において、かご２１及び釣合おもり２２は、懸架手段２３により昇降路内に吊り下げられている。懸架手段２３としては、ロープ又はベルトが用いられる。カバーの図示は省略したが、釣合おもり２２としては、実施の形態１〜４のいずれかの釣合おもりが用いられる。
【００４４】
昇降路内には、かご２１の昇降を案内する一対のかごガイドレール２４と、釣合おもり２２の昇降を案内する一対の釣合おもりガイドレール２５とが設置されている。この例では、釣合おもり２２は、かご２１の後方に配置されている。即ち、釣合おもり２２は、かご２１と同じ高さに位置するとき、かご２１の背面に対向するように配置されている。
【００４５】
昇降路上部の機械室には、かご２１及び釣合おもり２２を昇降させる巻上機２６、かご２１の運転を制御する制御盤２７、及びかご２１の過速度を検出する調速機２８が設置されている。各停止階の乗場には、乗場戸２９及び乗場操作盤３０が設けられている。
【００４６】
なお、図１５はこの発明が適用されるエレベータの一例であり、この発明の釣合おもりは、あらゆるタイプのエレベータに適用することができる。
【符号の説明】
【００４７】
１  おもり枠、２  おもり片、３  カバー、３ａ  だるま穴、４  カバー用ねじ（係合突起）、５  上部カバー（第１のカバー）、６  中間カバー（第２のカバー）、９  上部カバー（第１のカバー）、１０  下部カバー（第２のカバー）、１２  上部カバー（スライドカバー）、１３  中間カバー（スライドカバー）、１４  下部カバー（ベースカバー）。
【図１】
2010195517.tif 000003
【図２】
2010195517.tif 000004
【図３】
2010195517.tif 000005
【図４】
2010195517.tif 000006
【図５】
2010195517.tif 000007
【図６】
2010195517.tif 000008
【図７】
2010195517.tif 000009
【図８】
2010195517.tif 000010
【図９】
2010195517.tif 000011
【図１０】
2010195517.tif 000012
【図１１】
2010195517.tif 000013
【図１２】
2010195517.tif 000014
【図１３】
2010195517.tif 000015
【図１４】
2010195517.tif 000016
【図１５】
2010195517.tif 000017